(57)【要約】【課題】多くの微粉塵が舞う環境下でも、軌道レールの側面と移動ブロックの内側面との間の間隙から異物が移動ブロック内に浸入することのない案内装置を提供すること。【解決手段】軌道レールと、移動ブロック２０を具備し、該軌道レールに転動体循環路を循環する転動体を介在させて移動ブロック２０を相対移動自在に組み付けられた構成の案内装置において、移動体ブロック２０の少なくとも移動ブロック本体２１の両側スカート部内側面及び側蓋内側面と軌道レール側面との間の間隙を閉塞する先端が該軌道レールの側面長手方向に接触する異物浸入防止板３４を設けた。【選択図】図８
2005114034.tif 000002
【特許請求の範囲】
【請求項１】
長手方向に沿って転動体転走面が形成された軌道レールと、該軌道レール長手方向に対して直交する断面が略コ字状で開口部両側にスカート部が形成され該軌道レールを跨いだ状態で該軌道レールに相対移動自在に組み付けられた移動ブロックとを備え、該移動ブロックは、前記転動体転走面と共に、負荷転動体転走路を形成する負荷転動体転走面と、該負荷転動体転走面に対応する転動体逃げ孔が形成された移動ブロック本体と、前記負荷転動体転走路及び転動体逃げ孔と共に転動体循環路を形成する転動体方向転換路が形成され該移動ブロック本体の前記相対移動方向の両端に前記軌道レールを跨いで取り付けられた側蓋とを備え、前記転動体循環路に配置された複数の転動体が前記軌道レール及び移動ブロックの相対移動に伴って該転動体循環路を循環する構成の案内装置において、
少なくとも前記移動ブロック本体の両側スカート部内側面及び前記側蓋内側面と前記軌道レール側面との間の間隙を閉塞する先端が該軌道レールの側面長手方向に接触する異物浸入防止板を設けたことを特徴とする案内装置。
【請求項２】
請求項１に記載の案内装置において、
前記移動ブロックは前記側蓋の前記相対移動方向外側に潤滑油装置等の複数の付属装置が前記軌道レールを跨いで取り付けられており、前記異物浸入防止板は該付属装置内側面と前記軌道レール側面との間の間隙も閉塞することを特徴とする案内装置。
【請求項３】
請求項１又は２に記載の案内装置において、
前記異物浸入防止板は前記移動ブロック本体の両側スカート部の端面に取り付けられていることを特徴とする案内装置。
【請求項４】
請求項１又は２又は３に記載の案内装置において、
前記複数の付属装置の最外側の付属装置は金属板からなる金属スクレーパであり、該金属スクレーパに前記異物浸入防止板の長手方向端面を固定したことを特徴とする案内装置。
【請求項５】
請求項１乃至４のいずれか１項に記載の案内装置において、
前記異物浸入防止板は高い剛性の材料からなる板状の異物浸入防止板収納ケースの側端部に柔軟性を有する材料からなる板状の異物浸入防止板本体を装着した構成であり、該異物浸入防止板本体の側端面を前記軌道レール側面に接触させたことを特徴とする案内装置。
【請求項６】
請求項１乃至５のいずれか１項に記載の案内装置において、
前記異物浸入防止板は高い剛性の材料からなる板状の異物浸入防止板収納ケースと、柔軟性を有する材料からなる板状の異物浸入防止板本体と、高い剛性の材料からなる異物浸入防止板押え板とを具備し、該異物浸入防止板本体の側端面を前記軌道レール側面に接触させた状態で、該異物浸入防止板本体を前記異物浸入防止板押え板と前記異物浸入防止板収納ケースで挟持した状態で、該異物浸入防止板収納ケースを前記移動ブロック本体の両側スカート部端面に取り付けた構成であることを特徴とする案内装置。
【請求項７】
請求項１乃至６のいずれか１項に記載の案内装置において、
前記異物浸入防止板は前記軌道レール側面に対して直交してその側端面が接触する構成であることを特徴とする案内装置。
【請求項８】
請求項７に記載の案内装置において、
前記異物浸入防止板は自己潤滑機能を有することを特徴とする案内装置。
【発明の詳細な説明】
【技術分野】
【０００１】
本発明は軌道レールと該軌道レールに転動体を介して移動自在に組み付けられた移動ブロックとを備えた案内装置に関し、特に微細な粉塵が飛散する環境下で使用するのに好適な案内装置に関するものである。
【背景技術】
【０００２】
図１に示すように軌道レール１０１に多数の転動体（ボールやローラー）を介在させて相対移動（軌道レール１０１を固定し移動ブロック１０２が移動する場合と、移動ブロック１０２を固定し軌道レール１０１が移動する場合を含む）自在に組み付けられた移動ブロック１０２を備えた案内装置がある。このような案内装置においては、移動ブロック１０２は軌道レール１０１に跨いだ状態で組み付けた移動ブロック本体１０３と、その相対移動方向両端に軌道レール１０１を跨いだ状態で取付けた側蓋１０４、１０４と、該側蓋１０４、１０４の相対移動方向外側に軌道レール１０１に跨いだ状態で取り付けたシール装置１０５、１０５を具備する構成である。
【０００３】
シール装置１０５、１０５は軌道レール１０１の側面と移動ブロック１０２の両端部の内周面の隙間から異物が移動ブロック１０２内に浸入するのを防止する作用を奏するもので、該シール装置１０５、１０５を取付けているから、図１に示すように、軌道レール１０１を水平面上に設置し、該軌道レール１０１に移動ブロック１０２を組み付けて使用している場合、通常の環境下では移動ブロック１０２内には粉体等の異物が浸入することがないか、或いは極めて少ない。
【特許文献１】特開平１１−２９４４５１号公報
【発明の開示】
【発明が解決しようとする課題】
【０００４】
上記のように案内装置を通常の環境下で図１に示すような状態で使用する場合は移動ブロック１０２内に異物が浸入することはあまり問題とならないが、特に粉塵の多い環境下で図２に示すように、軌道レール１０１を天井面１０６に取付け、該軌道レール１０１に移動ブロック１０２を組み付けた状態、即ち案内装置を逆さまな状態で使用する場合、又は図３に示すように軌道レール１０１を壁面１０７に水平状態に取付け、該軌道レール１０１に移動ブロック１０２を組み付けた状態、即ち案内装置を壁掛け状態で使用する場合、又は図４に示すように軌道レール１０１を壁面１０７に垂直状態に取付け、該軌道レール１０１に移動ブロック１０２を組み付けた状態、即ち案内装置を立てた状態で使用する場合は、軌道レール１０１の側面と移動ブロック１０２の内側面との間の間隙から異物が移動ブロック１０２内に浸入し、転動体（ボールやローラー）の滑らかな転走を阻害し、故障の原因となるという問題があった。
【０００５】
本発明は上述の点に鑑みてなされたもので、多くの微粉塵が舞う環境下でも、軌道レールの側面と移動ブロックの内側面との間の間隙から異物が移動ブロック内に浸入することのない案内装置を提供することを目的とする。
【課題を解決するための手段】
【０００６】
上記課題を解決するため請求項１に記載の発明は、長手方向に沿って転動体転走面が形成された軌道レールと、該軌道レール長手方向に対して直交する断面が略コ字状で開口部両側にスカート部が形成され該軌道レールを跨いだ状態で該軌道レールに相対移動自在に組み付けられた移動ブロックとを備え、該移動ブロックは、転動体転走面と共に、負荷転動体転走路を形成する負荷転動体転走面と、該負荷転動体転走面に対応する転動体逃げ孔が形成された移動ブロック本体と、負荷転動体転走路及び転動体逃げ孔と共に転動体循環路を形成する転動体方向転換路が形成され該移動ブロック本体の相対移動方向の両端に軌道レールを跨いで取り付けられた側蓋とを備え、転動体循環路に配置された複数の転動体が軌道レール及び移動ブロックの相対移動に伴って該転動体循環路を循環する構成の案内装置において、少なくとも移動ブロック本体の両側スカート部内側面及び側蓋内側面と軌道レール側面との間の間隙を閉塞する先端が該軌道レールの側面長手方向に接触する異物浸入防止板を設けたことを特徴とする。
【０００７】
請求項２に記載の発明は、請求項１に記載の案内装置において、移動ブロックは側蓋の相対移動方向外側に潤滑油装置等の複数の付属装置が軌道レールを跨いで取り付けられており、異物浸入防止板は該付属装置内側面と軌道レール側面との間の間隙も閉塞することを特徴とする。
【０００８】
請求項３に記載の発明は、請求項１又は２に記載の案内装置において、異物浸入防止板は移動ブロック本体の両側スカート部の端面に取り付けられていることを特徴とする。
【０００９】
請求項４に記載の発明は、請求項１又は２又は３に記載の案内装置において、複数の付属装置の最外側の付属装置は金属板からなる金属スクレーパであり、該金属スクレーパに異物浸入防止板の長手方向端面を固定したことを特徴とする。
【００１０】
請求項５に記載の発明は、請求項１乃至４のいずれか１項に記載の案内装置において、異物浸入防止板は高い剛性の材料からなる板状の異物浸入防止板収納ケースの側端部に柔軟性を有する材料からなる板状の異物浸入防止板本体を装着した構成であり、該異物浸入防止板本体の側端面を前記軌道レール側面に接触させたことを特徴とする。
【００１１】
請求項６に記載の発明は、請求項１乃至５のいずれか１項に記載の案内装置において、異物浸入防止板は高い剛性の材料からなる板状の異物浸入防止板収納ケースと、柔軟性を有する材料からなる板状の異物浸入防止板本体と、高い剛性の材料からなる異物浸入防止板押え板とを具備し、該異物浸入防止板本体の側端面を軌道レール側面に接触させた状態で、該異物浸入防止板本体を異物浸入防止板押え板と異物浸入防止板収納ケースで挟持した状態で、該異物浸入防止板収納ケースを移動ブロック本体の両側スカート部端面に取り付けた構成であることを特徴とする。
【００１２】
請求項７に記載の発明は、請求項１乃至６のいずれか１項に記載の案内装置において、異物浸入防止板は軌道レール側面に対して直交してその側端面が接触する構成であることを特徴とする。
【００１３】
請求項８に記載の発明は請求項７に記載の案内装置において、異物浸入防止板は自己潤滑機能を有することを特徴とする。
【発明の効果】
【００１４】
請求項１に記載の発明によれば、移動ブロックの少なくとも移動ブロック本体の両側スカート部内側面及び側蓋内側面と軌道レール側面との間の間隙を閉塞する先端が該軌道レールの側面長手方向に接触する異物浸入防止板を設けたので、移動ブロック本体の両側スカート部内側面及び側蓋内側面と軌道レール側面との間の間隙から微細粉等の異物が浸入することがない。また、この種の案内装置は通常移動ブロックの移動方向両端面に、移動ブロックの両端部内周面と軌道レール外周との間の隙間から移動ブロック内に異物が浸入するのを防止する端部異物浸入防止装置が設けられているから、該端部異物浸入防止装置と異物浸入防止板で軌道レールと移動ブロックとの間の隙間が閉塞されることになり、移動ブロック内に浸入しようとする異物を略完全に遮断することができ、案内装置の転動体循環路に配置された複数の転動体の円滑な転走を長期間メンテナンスフリーで維持できる。
【００１５】
請求項２に記載の発明によれば、異物浸入防止板は付属装置内側面と軌道レール側面との間の間隙も閉塞するので、付属装置内に浸入しようとする異物も遮断することができる。
【００１６】
請求項３に記載の発明によれば、異物浸入防止板は移動ブロック本体の両側スカート部の端面に取り付けられているので、異物浸入防止板をビス等で軌道レール側面との接触圧を調整しながら容易に取付けることができる。
【００１７】
請求項４に記載の発明によれば、金属スクレーパに異物浸入防止板の長手方向端面を固定しているので、異物浸入防止板端部がしっかりと固定されることになり、異物浸入防止板の端部が振動したり位置ずれしたりすることがない。また、移動ブロックの両スカート部端面と軌道レールを取り付けた基台面との間の隙間が狭い場合、移動ブロックの両端側から異物浸入防止板を取付けることができ、取付け作業が容易となる。
【００１８】
請求項５に記載の発明によれば、異物浸入防止板は高い剛性の材料からなる異物浸入防止板収納ケースの側端部に柔軟性を有する材料からなる板状の異物浸入防止板本体を装着した構成としたので、構成が簡単で且つ取付けが容易となる。
【００１９】
請求項６に記載の発明によれば、異物浸入防止板は、異物浸入防止板本体の側端面を軌道レール側面に接触させた状態で、該異物浸入防止板本体を異物浸入防止板押え板と異物浸入防止板収納ケースで挟持した状態で該異物浸入防止板収納ケースを移動ブロック本体の両側スカート部端面に取り付けた構成であるので、異物浸入防止板を構成する全ての各部品の形状が簡単な板状となり、部品の加工が極めて容易で安価なものとなる。
【００２０】
請求項７に記載の発明によれば、異物浸入防止板は軌道レール側面に対して直交してその側端面が接触する構成であるので、より効果的に異物の浸入を防止できる。
【００２１】
請求項８に記載の発明によれば、異物浸入防止板体は自己潤滑機能を有するので、異物浸入防止板本体の側端面を所望の面圧で軌道レール側面に接触させても、軌道レール及び案内ブロックの滑らかな相対移動は維持される。
【発明を実施するための最良の形態】
【００２２】
以下、本発明の実施形態例を図面に基づいて説明する。図５乃至８は本発明に係る案内装置の構成を示す図で、図５は外観斜視図、図６は図５のＡ−Ａ断面図、図７は移動ブロックの平面図、図８は移動ブロックの分解斜視図である。１１は軌道レールであり、該軌道レール１１には長手方向に向かって移動体（ボール）が転走する複数本（図では４本）の転動体転走溝１２−１〜１２−４が形成されている。
【００２３】
２０は軌道レール１１に移動自在に組み付けられた移動ブロックであり、移動ブロック２０は移動ブロック本体２１と、該移動ブロック本体２１の移動方向両端に取り付けられた側蓋２２、２２と、該側蓋２２、２２の移動方向外側に取り付けられた潤滑装置２３、２３、該潤滑装置２３、２３の移動方向外側に取り付けられたエンドシール２４、２４、該エンドシール２４、２４の移動方向外側に取り付けられた積層形接触スクレーパ２５、２５、該積層形接触スクレーパ２５、２５の移動方向外側に取り付けられた金属スクレーパ２６、２６を具備する構成である。
【００２４】
移動ブロック本体２１は軌道レール１１の長手方向に直交する断面がコ字状で開口部両側にスカート部２８−１、２８−２が形成された形状で、該軌道レール１１に跨って組み付けられるようになっている。また、移動ブロック本体２１には軌道レール１１に形成された転動体転走溝１２−１〜１２−４と共に、負荷転動体転走路３１−１〜３１−４を形成する複数本（図では４本）の負荷転動体転走溝２７−１〜２７−４が形成され、負荷転動体転走溝２７−１〜２７−４に対応する数の転動体逃げ孔２９−１〜２９−４が形成されている。
【００２５】
側蓋２２は軌道レール１１の長手方向に直交する断面がコ字状で、軌道レール１１に跨った状態で移動ブロック本体２１の両端に取り付けられている。該側蓋２２、２２には軌道レール１１の転動体転走溝１２−１と移動ブロック本体２１の負荷転動体転走溝２７−１とで形成される負荷転動体転走路３１−１と転動体逃げ孔２９−１を連通させ転動体循環路を形成する転動体方向転換路３０−１、３０−１、軌道レール１１の転動体転走溝１２−２と移動ブロック本体２１の負荷転動体転走溝２７−２とで形成される負荷転動体転走路３１−２と転動体逃げ孔２９−２を連通させ転動体循環路を形成する転動体方向転換路３０−２、３０−２、軌道レール１１の転動体転走溝１２−３と移動ブロック本体２１の負荷転動体転走溝２７−３とで形成される負荷転動体転走路３１−３と転動体逃げ孔２９−３を連通させ転動体循環路を形成する転動体方向転換路３０−３、３０−３、軌道レール１１の転動体転走溝１２−４と移動ブロック本体２１の負荷転動体転走溝２７−４とで形成される負荷転動体転走路３１−４と転動体逃げ孔２９−４を連通させ転動体循環路を形成する転動体方向転換路３０−４、３０−４が形成されている。転動体（ボール）３２は軌道レール１１及び移動ブロック２０の相対移動に伴って転動体循環路内を循環する。
【００２６】
潤滑装置２３、２３は軌道レール１１の転動体転走溝１２−１〜１２−４に潤滑油を供給する装置で、軌道レール１１の長手方向に直交する断面がコ字状で、軌道レール１１に跨った状態で側蓋２２、２２の移動方向外側に取り付けられている。エンドシール２４、２４は軌道レール１１の表面に付着した異物等が移動ブロック２０内に浸入するのを防ぐもので、軌道レール１１の長手方向に直交する断面がコ字状で、軌道レール１１に跨った状態で、潤滑装置２３、２３の移動方向外側に取り付け、内周面は軌道レール１１の表面に接触している。
【００２７】
積層形接触スクレーパ２５、２５は微細な異物の移動ブロック２０内への浸入を防止するためのもので、軌道レール１１の長手方向に直交する断面がコ字状で、ケーシング内部にフェルト状の板材を複数枚移動方向に積層した構成であり内周面が軌道レール１１の表面に接触し、軌道レール１１に跨った状態でエンドシール２４、２４の移動方向外側に取り付けられている。金属スクレーパ２６、２６は切りくず、スパッタ、砂塵のような比較的大きな異物を排除するもので、軌道レール１１の長手方向に直交する断面がコ字状で、内周面が軌道レール１１の表面に非接触で、軌道レール１１に跨った状態で積層形接触スクレーパ２５、２５の移動方向外側に取り付けられている。
【００２８】
側蓋２２、潤滑装置２３、エンドシール２４、積層形接触スクレーパ２５、及び金属スクレーパ２６は積層された状態で、ビス３３、３３で移動ブロック本体２１の両端に取り付けられる。
【００２９】
３４は異物浸入防止板であり、移動ブロック本体２１のスカート部２８−１、２８−２（図６参照）の下端面にビス３５で取付け、その先端面が軌道レール１１の側面長手方向に接触し、移動ブロック２０内側面と軌道レール１１側面との間の間隙を閉塞し、該間隙から内部に微細粉等の異物が浸入するのを防ぐためのものである。
【００３０】
図９は異物浸入防止板の構成例を示す図で、図９（ａ）は平面図、図９（ｂ）は端側面拡大図である。異物浸入防止板３４は異物浸入防止板本体３６と、異物浸入防止板収納ケース３７から構成されている。異物浸入防止板本体３６は長尺の板状体で、柔軟性を有する樹脂材料（例えばウレタンパッド）等で構成される。異物浸入防止板収納ケース３７は高い剛性の材料、例えば樹脂材や金属材等で構成され、板状でその一側辺端面に異物浸入防止板本体３６の一側辺端部が挿入される凹状溝３８が形成されている。また、異物浸入防止板収納ケース３７の他側辺端部片面にはビス孔３９を形成するための複数個（図では３個）の凹状溝４０が形成され、それぞれの凹状溝４０の中央部に長円状のビス孔３９が形成されている。また、異物浸入防止板収納ケース３７の両端面にもビス孔４２が形成されている。凹状溝４０はビス孔３９にビス３５を挿入した際、その頭部が異物浸入防止板収納ケース３７の面上に突出しない深さとしている。
【００３１】
異物浸入防止板収納ケース３７の凹状溝３８に異物浸入防止板本体３６の一側辺端部を挿入して接着剤で接着して、異物浸入防止板本体３６を異物浸入防止板収納ケース３７に装着する。このように構成された異物浸入防止板本体３６をそのビス孔３９にビス３５（図８参照）を挿入し移動ブロック本体２１の両側スカート部２８−１、２８−２の端面に異物浸入防止板本体３６を軌道レール１１の側面に対して直交させその一側辺端面を接触させて取り付ける（図６参照）。この時異物浸入防止板本体３６の一側辺端面の接触圧力はビス孔３９が長円状であるから、ビス３５を緩めた状態で異物浸入防止板収納ケース３７を軌道レール１１側に押し、その押圧力を調整した後、ビス３５を締め付けて調整することができる。
【００３２】
異物浸入防止板３４の長さ寸法は、移動ブロック２０の両端の金属スクレーパ２６と２６の間に収まる寸法であり、金属スクレーパ２６、２６に形成されたビス孔４３（図８参照）にビス４４を挿入しその先端部を異物浸入防止板収納ケース３７の端面のビス孔４２にねじ込んで異物浸入防止板３４の端面を金属スクレーパ２６の側面に固定する。これにより、異物浸入防止板３４の端部が振動したり、位置ずれを起すということはなくなる。また、移動ブロック本体２１の両側のスカート部２８−１、２８−２の端面（図では下端面）と軌道レール１１を取り付けた基台面との間隙が小さく、異物浸入防止板３４を移動ブロック本体２１の両側のスカート部２８−１、２８−２の端面に取付けることが困難な場合、異物浸入防止板３４を金属スクレーパ２６と金属スクレーパ２６の間に挿入し、ビス４４で移動ブロック２０の両端面側から異物浸入防止板３４を金属スクレーパ２６に固定して、異物浸入防止板３４を取付けることができる。また、異物浸入防止板本体３６には、例えば発泡ウレタン樹脂等潤滑油を含浸できる材料を用い、潤滑油を含浸させることにより、自己潤滑機能を持たせる。
【００３３】
異物浸入防止板３４を上記のように構成し、ブロック本体２１、側蓋２２、２２、潤滑装置２３、２３、エンドシール２４、２４、積層形接触スクレーパ２５、２５、金属スクレーパ２６、２６で構成される付属装置の金属スクレーパ２６、２６を除く、移動ブロック２０の内側面と軌道レール１１の側面との間の間隙を異物浸入防止板３４で閉塞するので、付属装置である潤滑装置２３、２３、エンドシール２４、２４、積層形接触スクレーパ２５、２５内にも異物が浸入することがない。しかも移動ブロック本体２１の端部からもエンドシール２４、２４及び積層形接触スクレーパ２５、２５で異物が浸入しないようになっているから、移動ブロック２０内には略完璧に異物が浸入することはない。
【００３４】
上記構成の案内装置は、木屑が発生する木工機械、石膏紛が発生する切断機、研削粉が発生する研削盤、布くずが発生するカーペット切断機、水及び薬品を扱う洗浄機、クーラントが発生する工作機械、砂埃が発生する各種屋外機械等の粉塵が飛散する環境下で使用する機械に用いるのに好適である。
【００３５】
図１０は異物浸入防止板の他の構成例を示す図で、図１０（ａ）は分解斜視図、図１０（ｂ）は端側面拡大図である。異物浸入防止板５０は、異物浸入防止板収納ケース５１、異物浸入防止板本体５２、及び異物浸入防止板押え板５３とから構成される。異物浸入防止板収納ケース５１は高い剛性の材料、例えば金属材料や樹脂材料で構成され、その一側辺部片面に異物浸入防止板本体５２の一側部を収容するための段部５４と、異物浸入防止板押え板５３の一側部を収容するための段部５５が形成されている。また、異物浸入防止板収納ケース５１の他側辺端部片面（段部５４、５５が形成された面の反対側面）にはビス孔５７を形成するための複数個（図では３個）の凹状溝５６が形成され、それぞれの凹状溝５６の中央部にビス孔５７が形成されている。また、異物浸入防止板収納ケース５１の両端面にもビス孔５８が形成されている。凹状溝５６はビス孔５７にビス３５（図８参照）を挿入した際、その頭部が異物浸入防止板収納ケース５１の面上に突出しない深さとしている。
【００３６】
異物浸入防止板本体５２は長尺の板状体で、柔軟性を有する樹脂材料（例えばウレタンパッド）等で構成される。異物浸入防止板押え板５３は高い剛性の材料、例えば金属材料や樹脂材料で構成されている。図１０（ｂ）に示すように異物浸入防止板本体５２の一側部を異物浸入防止板収納ケース５１の段部５４に、異物浸入防止板押え板５３の一側部を段部５５に収容し、異物浸入防止板本体５２を異物浸入防止板収納ケース５１と異物浸入防止板押え板５３で挟持した状態で、且つ異物浸入防止板本体５２を軌道レール１１の側面に対して直交させその一側辺端面を接触させてビス孔５７にビス３５を挿入して異物浸入防止板収納ケース５１を移動ブロック本体２１の両側スカート部２８−１、２８−２の端面に設けたビス孔５８に挿入し締め付けて固定する。また、異物浸入防止板本体５２には、例えば発泡ウレタン樹脂等潤滑油を含浸できる材料を用い、潤滑油を含浸させることにより、自己潤滑機能を持たせる。また、異物浸入防止板本体５２と異物浸入防止板収納ケース５１との間及び異物浸入防止板本体５２と異物浸入防止板押え板５３の間は接着剤で接着する。金属スクレーパ２６、２６に形成されたビス孔４３にビス４４を挿入し異物浸入防止板収納ケース５１端面のビス孔５７にねじ込んで異物浸入防止板５０の端面を金属スクレーパ２６の側面に固定する。
【００３７】
異物浸入防止板５０を上記のように構成することにより、異物浸入防止板５０を構成する部品である異物浸入防止板収納ケース５１、異物浸入防止板本体５２、及び異物浸入防止板押え板５３が板形状で加工が容易となる。特に図９に示す肉厚の薄い異物浸入防止板収納ケース３７に異物浸入防止板本体３６の一側端を挿入する凹状溝３８を形成する加工が必要でないから、部品の加工が極めて容易となり、コストが安価となる。なお、異物浸入防止板５０の作用効果は図９に示す構成の異物浸入防止板３４の作用効果と略同一である。
【００３８】
本発明は上記実施例に制約されず種々の態様が可能である。例えば本実施例では転動体にボール３２を用いる例を説明したが、転動体はボールに限定されるものではなく、ローラーであってもよい。また、上記例では軌道レール１１が固定され、移動ブロック２０が移動する案内装置を示したが、移動ブロック２０を固定して軌道レール１１が移動するようにしてもよい。また、使用形態も図２〜図４に示すように逆さま状態、壁掛け状態、垂直状態等いずれの使用状態も可能である。
【図面の簡単な説明】
【００３９】
【図１】案内装置の構成例を示す外観斜視図である。
【図２】案内装置の使用状態例を示す図である。
【図３】案内装置の使用状態例を示す図である。
【図４】案内装置の使用状態例を示す図である。
【図５】本発明に係る案内装置の構成例を示す外観斜視図である。
【図６】図５のＡ−Ａ矢視断面図ある。
【図７】本発明に係る案内装置の移動ブロックの構成例を示す平面図である。
【図８】本発明に係る案内装置の移動ブロックの分解斜視図である。
【図９】本発明に係る案内装置の異物浸入防止板の構成例を示す図である。
【図１０】本発明に係る案内装置の異物浸入防止板の他の構成例を示す図である。
【符号の説明】
【００４０】
１１      軌道レール
１２      転動体転走溝
２０      移動ブロック
２１      移動ブロック本体
２２      側蓋
２３      潤滑装置
２４      エンドシール
２５      積層形接触スクレーパ
２６      金属スクレーパ
２７      負荷転動体転走溝
２８      スカート部
２９      転動体逃げ孔
３０      転動体方向転換路
３１      負荷転動体転送路
３２      転動体（ボール）
３３      ビス
３４      異物浸入防止板
３５      ビス
３６      異物浸入防止板本体
３７      異物浸入防止板収納ケース
３８      凹状溝
３９      ビス孔
４０      凹状溝
４２      ビス孔
５０      異物浸入防止板
５１      異物浸入防止板収納ケース
５２      異物浸入防止板本体
５３      異物浸入防止板押え板
５４      段部
５５      段部
５６      凹状溝
５７      ビス孔
５８      ビス孔
【図１】
2005114034.tif 000003
【図２】
2005114034.tif 000004
【図３】
2005114034.tif 000005
【図４】
2005114034.tif 000006
【図５】
2005114034.tif 000007
【図６】
2005114034.tif 000008
【図７】
2005114034.tif 000009
【図８】
2005114034.tif 000010
【図９】
2005114034.tif 000011
【図１０】
2005114034.tif 000012